(57)【要約】      （修正有）【課題】オーディオ信号を再生することについての無線オーディオ／ビデオシステム及びそれらを制御する方法を提供する。【解決手段】無線オーディオ／ビデオ（Ａ／Ｖ）システムは、イヤホンおよびＡ／Ｖデバイスを含む。イヤホンは、制御指令のユーザー入力を可能にして、制御指令を送信するように構成される。Ａ／Ｖデバイスは、マルチメディア信号を受信して、そのオーディオ信号成分を抽出して、イヤホンから制御指令を受信して、それに応じてオーディオ信号成分を処理するように構成される。Ａ／Ｖデバイスは、処理されたオーディオ信号成分を再生のためのイヤホンに送信するように作動する。イヤホンおよびＡ／Ｖデバイスは、Ｗｉ―Ｆｉを使用して無線ネットワークを介して通信するように構成される。【選択図】図３
2014011793.tif 000002
【特許請求の範囲】
【請求項１】
無線オーディオ／ビデオ（Ａ／Ｖ）システムであって、
第１の制御指令のユーザー入力を可能にするための制御モジュール（３１）と、
電磁波によって前記第１の制御指令を送信するための通信インターフェース（３２）と、
オーディオ再生モジュール（３３）と
を含む、イヤホン（３）と、
外部マルチメディアソースからマルチメディア信号を受信して、前記マルチメディア信号のオーディオ信号成分を抽出するための信号受信モジュール（２２）と、
前記イヤホン（３）の前記通信インターフェース（３２）から前記第１の制御指令を受信して、前記第１の制御指令に従って前記オーディオ信号成分を処理するための信号処理モジュール（２３）と、
前記オーディオ再生モジュール（３３）によって再生させるように、無線ネットワークを介して前記オーディオ再生モジュール（３３）に前記信号処理モジュール（２３）によって処理された前記オーディオ信号成分を送信するために前記オーディオ再生モジュール（３３）と無線で接続されたオーディオ出力モジュール（２４）と
を含む、Ａ／Ｖデバイス（２）とを特徴とし、
前記無線Ａ／Ｖシステムは、前記イヤホン（３）の前記オーディオ再生モジュール（３３）と前記Ａ／Ｖデバイス（２）の前記オーディオ出力モジュール（２４）とは、Ｗｉ―Ｆｉ（登録商標）を使用して、前記無線ネットワークと通信するように構成されることを更に特徴とする、無線オーディオ／ビデオ（Ａ／Ｖ）システム。
【請求項２】
前記信号受信モジュール（２２）は、前記外部マルチメディアソースのそれぞれから、複数の前記マルチメディア信号を受信して、前記マルチメディア信号から前記オーディオ信号成分をそれぞれ抽出するように構成されること、および、前記信号処理モジュール（２３）は、前記第１の制御指令に従って前記オーディオ信号成分のうちの１つを選択して、処理するように構成されることを特徴とする、請求項１に記載の無線Ａ／Ｖシステム。
【請求項３】
前記Ａ／Ｖデバイス（２）は、第２の制御指令のユーザー入力を可能にするための近端制御モジュール（２１）を更に含み、前記信号処理モジュール（２３）は、前記第２の制御に従って、前記オーディオ信号成分のうちの１つを選択して、処理するように作動し、前記オーディオ出力モジュール（２４）は、前記第２の制御指令に従って、前記信号処理モジュール（２３）によって選択され、処理される前記オーディオ信号成分のうちの前記１つを再生するように作動することを特徴とする、請求項２に記載の無線Ａ／Ｖデバイス（２）。
【請求項４】
前記信号処理モジュール（２３）は、前記信号処理モジュール（２３）が前記第１の制御指令および前記第２の制御指令のうちの１つを処理するように作動するシングルタスクモードと、前記信号処理モジュール（２３）が前記第１の制御指令および前記第２の制御指令の両方を並列に処理するように作動するマルチタスクモードとの間で切り替え可能であることを特徴とする、請求項３に記載の無線Ａ／Ｖシステム。
【請求項５】
前記イヤホン（３）を作動させると、すぐに、前記イヤホン（３）の前記通信インターフェース（３２）は、前記Ａ／Ｖデバイス（２）に状態問い合わせを送信するように作動し、
前記Ａ／Ｖデバイス（２）が作動された状態にあるとき、前記信号処理モジュール（２３）は、前記状態問い合わせの受信に応答して、前記Ａ／Ｖデバイス（２）が前記作動された状態にあることを示している状態応答を前記イヤホン（３）に送信するように作動することを特徴とする、請求項１〜請求項４のいずれかに記載の無線Ａ／Ｖシステム。
【請求項６】
前記状態問い合わせの送信から所定の時間が経過した後に、前記イヤホン（３）が前記Ａ／Ｖデバイス（２）から前記状態応答を受信しないとき、前記イヤホン（３）の前記オーディオ再生モジュール（３３）が、前記Ａ／Ｖデバイス（２）が作動されていない状態にあることをユーザーに通知するために、オーディオ警報を生成して、出力するように構成されることを特徴とする、請求項５に記載の無線Ａ／Ｖシステム。
【請求項７】
前記通信インターフェース（３２）は、前記第１の制御指令を前記Ａ／Ｖデバイス（２）の前記信号受信モジュール（２２）に送信するために、赤外線通信ユニット（３２１）およびブルートゥース通信ユニット（３２２）のうちの少なくとも１つを含むことを特徴とする、請求項１〜請求項６のいずれかに記載の無線Ａ／Ｖシステム。
【請求項８】
前記マルチメディア信号は、外部記憶媒体に格納されたマルチメディアファイル、テレビジョン信号、および無線信号のうちの少なくとも１つを含み、前記無線Ａ／Ｖシステムは、前記信号受信モジュール（２２）が、
前記外部記憶媒体に格納された前記マルチメディアファイルにアクセスするために、前記外部記憶媒体への接続のために構成された外部コネクタ（２２１）、
前記テレビジョン信号を受信するための無線周波数（ＲＦ）受信インターフェース（２２２）、および、
前記無線信号を受信するための周波数変調（ＦＭ）受信インターフェース（２２３）
のうちの少なくとも１つを含むことを特徴とする、請求項１〜請求項７のいずれかに記載の無線Ａ／Ｖシステム。
【請求項９】
オーディオ信号の再生のために構成される無線オーディオ／ビデオ（Ａ／Ｖ）システムを制御するための制御方法であって、前記無線Ａ／Ｖシステムは、イヤホン（３）と、外部マルチメディアソースからマルチメディア信号を受信して、前記マルチメディア信号からオーディオ信号成分を抽出するように構成されるＡ／Ｖデバイス（２）とを含み、前記制御方法は、
（Ａ）無線ネットワークを介して、前記イヤホン（３）を前記Ａ／Ｖデバイス（２）に接続するステップであって、前記イヤホン（３）および前記Ａ／Ｖデバイス（２）が前記無線ネットワークと通信するためにＷｉ―Ｆｉを使用するように構成されるステップと、
（Ｂ）第１の制御指令のユーザー入力を可能にするように前記イヤホン（３）を構成するステップと、
（Ｃ）前記第１の制御指令を受信すると、すぐに、電磁波によって前記第１の制御指令を送信するように前記イヤホン（３）を構成するステップと、
（Ｄ）前記Ａ／Ｖデバイス（２）が、前記第１の制御指令を受信するとき、前記第１の制御指令に従って前記オーディオ信号成分を処理するように前記Ａ／Ｖデバイス（２）を構成するステップと、
（Ｅ）前記イヤホン（３）によって再生させるために、前記無線ネットワークを介して前記オーディオ信号を前記イヤホン（３）に送信するように前記Ａ／Ｖデバイス（２）を構成するステップとを特徴とする、制御方法。
【請求項１０】
前記Ａ／Ｖデバイス（２）は、前記外部マルチメディアソースのそれぞれから複数の前記マルチメディア信号を受信して、前記マルチメディア信号から前記オーディオ信号成分をそれぞれ抽出するように更に構成され、ステップ（Ｄ）において、前記制御方法は、前記Ａ／Ｖデバイス（２）が、前記第１の制御指令に従って前記オーディオ信号成分のうちの１つを選択して、処理するように構成されることを特徴とする、請求項９に記載の制御方法。
【請求項１１】
前記Ａ／Ｖデバイス（２）は、第２の制御指令のユーザー入力を可能にするように更に構成されており、前記制御方法は、
前記第２の制御指令に従って、前記オーディオ信号成分のうちの１つを選択して、処理し、前記第２の制御指令に従って、選択され、処理された前記オーディオ信号成分の前記１つを再生するように、前記Ａ／Ｖデバイス（２）を構成するステップを更に特徴とする、請求項１０に記載の制御方法。
【請求項１２】
ステップ（Ａ）の前に、
（ｉ）前記イヤホン（３）を作動させると、すぐに、状態問い合わせを前記Ａ／Ｖデバイス（２）に送信するように前記イヤホン（３）を構成するステップと、
（ｉｉ）前記Ａ／Ｖデバイス（２）が作動された状態にあるとき、前記状態問い合わせの受信に応答して、前記Ａ／Ｖデバイス（２）が前記作動された状態にあることを示している状態応答を前記イヤホン（３）に送信するように、前記Ａ／Ｖデバイス（２）を構成するステップと
を更に特徴とする、請求項９〜請求項１１のいずれかに記載の制御方法。
【請求項１３】
ステップ（ｉ）の後、
前記状態問い合わせの前記送信から所定の時間が経過した後に、前記イヤホン（３）が前記Ａ／Ｖデバイス（２）から前記状態応答を受信しないとき、前記Ａ／Ｖデバイス（２）が作動されていない状態にあることをユーザーに通知するために、オーディオ警報を生成して、出力するように、前記イヤホン（３）を構成するステップを更に特徴とする、請求項１２に記載の制御方法。
【請求項１４】
前記Ａ／Ｖデバイス（２）が前記第１の制御指令および前記第２の制御指令のうちの１つを処理するように作動するシングルタスクモードと、前記Ａ／Ｖデバイス（２）が前記第１の制御指令および前記第２の制御指令の両方を並列して処理するように作動するマルチタスクモードとの間で、前記Ａ／Ｖデバイス（２）を切り替えるステップを更に特徴とする、請求項１１〜請求項１３のいずれかに記載の制御方法。
【発明の詳細な説明】
【技術分野】
【０００１】
「関連出願の相互参照」
この出願は、２０１２年７月２日に出願された台湾出願番号第１０１１２３７４１号の優先権を主張する。
【０００２】
本発明は、オーディオ信号を再生することについての無線オーディオ／ビデオシステム及びその無線オーディオ／ビデオシステムを制御するための制御方法に関する。
【背景技術】
【０００３】
多くの従来の端末システム（例えばテレビジョン、コンピュータ、ハンドへルドデバイスなど）は、オーディオ信号を再生するための遠端デバイス（例えばイヤホン）に、無線でそのオーディオ信号を送信するように構成される。従来、オーディオ信号は、ブルートゥース（ＢｌｕｅＴｏｏｔｈ（登録商標））技術を使用して送信される。１つの典型的な先行技術の刊行物は、台湾出願番号第０９７１０２８２１号において見ることができる。しかし、ブルートゥースを使用することには、いくつかの欠点がある。例えば、ブルートゥースは、近距離範囲内でのデータ交換のために設計されており、従って、遠端デバイスのユーザーにとっての利便性を減じる。加えて、ブルートゥースを使用して２つのデバイス間の接続を確立して、セットすることは、比較的不便であり、時間がかかりうる。
【０００４】
さらに、従来の端末システムは、従来の端末システムを同時に使用している複数のユーザーがあり、ユーザーの各々が異なる要求を持つ（例えば、あるユーザーがラジオを聞くためにイヤホンをホールドしており、一方で、別のユーザーがテレビジョンを見ている）機会を実現するためには利用することができない。
【先行技術文献】
【特許文献】
【０００５】
【特許文献１】台湾出願番号第０９７１０２８２１号
【発明の概要】
【発明が解決しようとする課題】
【０００６】
従って、本発明の１つの目的は、上述の欠点を改善することが可能である無線オーディオ／ビデオ（Ａ／Ｖ）システムを提供することである。
【課題を解決するための手段】
【０００７】
したがって、本発明の無線Ａ／Ｖシステムは、オーディオ信号を再生するためにある。無線Ａ／Ｖシステムは、イヤホンとＡ／Ｖデバイスとを含む。
【０００８】
イヤホンは、制御モジュール、通信インターフェース、およびオーディオ再生モジュールを含む。制御モジュールは、第１の制御指令のユーザー入力を可能にするためにある。通信インターフェースは、電磁波によって第１の制御指令を送信するためにある。
【０００９】
Ａ／Ｖデバイスは、信号受信モジュール、信号処理モジュールおよび信号出力モジュールを含む。信号受信モジュールは、外部マルチメディアソースからマルチメディア信号を受信して、マルチメディア信号のオーディオ信号成分を抽出するためにある。信号処理モジュールは、イヤホンの通信インターフェースから第１の制御指令を受信して、第１の制御指令に従ってオーディオ信号成分を処理するためにある。オーディオ出力モジュールは、オーディオ再生モジュールによって再生させるために、無線ネットワークを介してオーディオ再生モジュールに信号処理モジュールによって処理されたオーディオ信号成分を送信するためのオーディオ再生モジュールと無線で接続される。好ましくは、イヤホンのオーディオ再生モジュールおよびＡ／Ｖデバイスのオーディオ出力モジュールは、Ｗｉ―Ｆｉ（登録商標）（Ｗｉｒｅｌｅｓｓ  Ｆｉｄｅｌｉｔｙ）を使用して無線ネットワークと通信するように構成される。
【００１０】
本発明の別の目的は、上述の無線Ａ／Ｖシステムを制御するための制御方法を提供することである。
【００１１】
無線Ａ／Ｖシステムは、オーディオ信号の再生のために構成されて、イヤホンおよびＡ／Ｖデバイスを含む。Ａ／Ｖデバイスは、外部マルチメディアソースからマルチメディア信号を受信して、マルチメディア信号のオーディオ信号成分を抽出するように構成される。制御方法は、以下のステップ、
（Ａ）無線ネットワークを介してイヤホンをＡ／Ｖデバイスと接続するステップであって、イヤホンおよびＡ／Ｖデバイスが、無線ネットワークと通信するためにＷｉ―Ｆｉを使用するように構成される、ステップ、
（Ｂ）第１の制御指令のユーザー入力を可能にするようにイヤホンを構成するステップ、
（Ｃ）第１の制御指令を受信すると、すぐに、電磁波によって第１の制御指令を送信するようにイヤホンを構成するステップ、
（Ｄ）Ａ／Ｖデバイスが、第１の制御指令を受信するとき、第１の制御指令に従ってオーディオ信号成分を処理するようにＡ／Ｖデバイスを構成するステップ、および、
（Ｅ）イヤホンにより再生させるために、無線ネットワークを介して、Ａ／Ｖデバイスにより処理されたオーディオ信号成分を、イヤホンに送信するようにＡ／Ｖデバイスを構成するステップを含む。
【００１２】
本発明の他の特徴および効果は、添付図面を参照して、好ましい実施形態の詳細な説明において明らかになる。
【図面の簡単な説明】
【００１３】
【図１】図１は、本発明による無線オーディオ／ビデオ（Ａ／Ｖ）再生システムの好ましい実施形態の略ブロック図である。
【図２】図２は、無線Ａ／ＶシステムのＡ／Ｖデバイスおよびイヤホンのセットアップ手順のフローチャートである。
【図３】図３は、ユーザーがＡ／Ｖデバイスを制御するためにイヤホンを使用する、遠隔制御手順のフローチャートである。
【図４】図４は、ユーザーが近端でＡ／Ｖデバイスを制御する、近端制御手順のフローチャートである。
【発明を実施するための形態】
【００１４】
図１は、本発明による無線オーディオ／ビデオ（Ａ／Ｖ）再生システムの好ましい実施形態を示す。無線Ａ／Ｖシステムは、外部マルチメディアソースのそれぞれから複数のマルチメディア信号を受信するように構成される。いくつかの例において、マルチメディア信号は、外部記憶媒体（例えばフラッシュドライブ）に格納されたマルチメディアファイル、テレビジョン信号および無線信号のうちの少なくとも１つを含むことができる。無線Ａ／Ｖシステムは、マルチメディア信号の１つから抽出されるオーディオ信号成分をユーザーに供給するように更に構成される。
【００１５】
無線Ａ／Ｖシステムは、Ａ／Ｖデバイス２とイヤホン３とを含む。Ａ／Ｖデバイス２は、例えば、デジタルテレビ（ＤＴＶ）、有線方式のＴＶ、パーソナルコンピュータ、スマートフォンなどのうちの１つでありえる。好ましくは、Ａ／Ｖデバイス２は、ＴＶ機能を有する。
【００１６】
イヤホン３は、無線ネットワークを介してＡ／Ｖデバイス２と接続されて、制御モジュール３１、通信インターフェース３２およびオーディオ再生モジュール３３を含む。制御モジュール３１は、第１の制御指令のユーザー入力を可能にする。いくつかの例において、第１の制御指令は、無線Ａ／Ｖシステムに、イヤホン３を作動させること、Ａ／Ｖデバイス２を作動させること、オーディオ信号を再生すること、オーディオ信号を停止すること、ボリュームを上げる／下げること、前の／次のトラック／チャンネルに切り替えること、マルチメディア信号の他の１つに切り替えることなどのうちの１つを実行するように指示する。通信インターフェース３２は、電磁波によって第１の制御指令を送信するためにある。いくつかの例において、通信インターフェース３２は、第１の制御指令を送信するための赤外線通信ユニット３２１およびブルートゥース通信ユニット３２２のうちの少なくとも１つを含むことができる。オーディオ再生モジュール３３は、Ｗｉ―Ｆｉ受信ユニット３３１およびスピーカ３３２を含む。
【００１７】
Ａ／Ｖデバイス２は、近端制御モジュール２１、信号受信モジュール２２、信号処理モジュール２３およびオーディオ出力モジュール２４を含む。本実施形態において、イヤホン３のオーディオ再生モジュール３３およびＡ／Ｖデバイス２のオーディオ出力モジュール２４は、Ｗｉ―Ｆｉを使用して、無線ネットワークと通信するように構成される。
【００１８】
オーディオ信号を送信するためにＷｉ―Ｆｉを使用することは、多くの態様において有益でありえる。例えば、ユーザーにとって比較的より良い利便性を与えるために、Ｗｉ―Ｆｉは、より広い範囲（すなわち１００メートル）内のデータ送信のために設計される。Ｗｉ―Ｆｉがより速く、より安定したデータ送信をサポートするので、Ａ／Ｖデバイス２は、イヤホン３に、より高い品質とより高い安定性を与えることができる。さらに、Ｗｉ―Ｆｉを使用したデータ送信は、比較的低い信号強度（したがって、より低い放射電力）を有し、より高い信号強度を有する平均的な携帯電話よりもユーザーに害が少ない。
【００１９】
近端制御モジュール２１は、第２の制御指令のユーザー入力を可能にする。いくつかの例において、第２の制御指令は、イヤホン３のユーザーとは異なる別のユーザーによって入力される。信号受信モジュール２２は、外部マルチメディアソースからマルチメディア信号成分を受信して、マルチメディア信号からそれぞれオーディオ信号を抽出するためにある。この実施形態において、信号受信モジュール２２は、外部コネクタ２２１、無線周波数（ＲＦ）受信インターフェース２２２、周波数変調（ＦＭ）受信インターフェース２２３を含む。外部コネクタ２２１は、外部記憶媒体に格納されたマルチメディアファイルにアクセスするために、外部記憶媒体への接続のために構成される。いくつかの例において、外部コネクタ２２１は、汎用シリアルバス（ＵＳＢ）３．０インターフェースである。ＲＦ受信インターフェース２２２は、テレビジョン信号を受信するためにある。ＦＭ受信インターフェース２２３は、無線信号を受信するためにある。本実施形態において、ＲＦ受信インターフェース２２２およびＦＭ受信インターフェース２２３の各々は、シリアル通信バス（例えば内部集積回路（Ｉ２Ｃ）コンピュータバス）である。
【００２０】
この実施形態において、外部マルチメディアソースは、外部コネクタ２２１と接続される外部記憶１１（例えばＵＳＢフラッシュドライブ）、ＲＦ受信インターフェース２２２と接続される高周波同調ユニット１３、およびＦＭ受信インターフェース２２３と接続される復調ユニット１５を含む。高周波同調ユニット１３および復調ユニット１５は、それぞれ、テレビジョン信号および無線信号をＲＦ受信インターフェース２２２およびＦＭ受信インターフェース２２３に受信して、処理して、送信するように作動する。その結果、外部マルチメディアソースは、信号受信モジュール２２にマルチメディア信号を同時に供給し、Ａ／Ｖデバイス２は、マルチメディア信号のうちの１つを再生するように作動し、信号受信モジュール２２は、それぞれ、マルチメディア信号からオーディオ信号成分を抽出するように作動する。
【００２１】
信号処理モジュール２３は、通信インターフェース２２から第１の制御指令を受信して、第１の制御指令に従ってオーディオ信号成分のうちの１つを選択して、処理するように作動する。この実施形態において、信号処理モジュール２３は、シングルタスクモードとマルチタスクモードとの間で切り替え可能である。シングルタスクモードにおいて、信号処理モジュール２３は、第１の制御指令および第２の制御指令のうちの１つを処理するように作動する。マルチタスクモードにおいて、信号処理モジュール２３は、第１の制御指令および第２の制御指令の両方を並列に処理するように作動する。
【００２２】
例えば、Ａ／Ｖデバイス２がマルチメディア信号のいずれも再生していない待機モードに、Ａ／Ｖデバイス２があるとき、信号処理モジュール２３は、シングルタスクモードに切り替えられる。シングルタスクモードによって、待機モードにおいてさえＡ／Ｖデバイス２がイヤホン３にオーディオ信号成分のうちの１つを供給することができる。
【００２３】
一方、Ａ／Ｖデバイス２がマルチメディア信号の１つを再生している再生モードに、Ａ／Ｖデバイス２があるとき、信号処理モジュール２３は、Ａ／Ｖデバイス２が所望のマルチメディア信号（例えばテレビジョン信号）を再生して、所望のオーディオ信号（例えばＵＳＢフラッシュドライブに保存された音楽）をイヤホン３に並列して供給することができるようにマルチタスクモードに切り替えられる。
【００２４】
オーディオ出力モジュール２４は、（オーディオおよびビデオ信号成分を含むことができる）マルチメディア信号を再生するためのスピーカ２４１および任意の表示画面２４２と、処理されたオーディオ信号成分をイヤホン３のオーディオ再生モジュール３３のＷｉ―Ｆｉ受信ユニット３３１に送信するためのＷｉ―Ｆｉ送信装置２４３とを含む。
【００２５】
図２〜図４を参照して、オーディオ信号の再生のための無線Ａ／Ｖシステムを制御するための制御方法の好ましい実施形態が示される。ここで、制御方法のステップについて以下に説明する。
【００２６】
図２は、Ｗｉ―Ｆｉ接続が処理されたオーディオ信号成分を送信するためにそれらの間で確立される前に、Ａ／Ｖデバイス２およびイヤホン３が必要な情報を交換する、セットアップ手順を示す。
【００２７】
まず、ステップＳ４１において、イヤホン３は、ユーザーによって作動させられる（すなわち、スイッチを入れられる）。次に、イヤホン３は、ステップＳ４２において、状態問い合わせをＡ／Ｖデバイス２に送信するように作動する。
【００２８】
Ａ／Ｖデバイス２は、待機モードおよび再生モードを含む、作動されていない状態および作動された状態のうちの１つにありうる。作動された状態にあるとき、Ａ／Ｖデバイス２の信号処理モジュール２３は、状態問い合わせの受信に応答して、Ａ／Ｖデバイス２が作動された状態にあることを示している状態応答をイヤホン３に送信するように作動する。ステップ４３において、イヤホン３は、状態応答の受信を待つために、所定の時間（例えば１０秒間）、スタンバイするように作動する。状態応答が所定の時間内に受信されるとき、フローはステップＳ５１へ進む。そうでない場合、状態問い合わせの送信から所定の時間が経過した後にイヤホン３がＡ／Ｖデバイス２から状態応答を受信しないとき、イヤホン３によってＡ／Ｖデバイスが作動されていない状態にあることが導き出される。次に、フローは、Ａ／Ｖデバイス２が作動されていない状態にあるとユーザーに通知するために、イヤホン３が、オーディオ警報を生成して、出力するように作動するステップＳ４８へ進む。このような場合、本方法は、その後終了される。
【００２９】
図３は、ユーザーがイヤホン３の制御モジュール３１を使用して無線Ａ／Ｖシステムと通信する遠隔制御手順を示す。
【００３０】
ステップＳ５１において、イヤホン３は、無線でＡ／Ｖデバイス２と接続される。本実施形態において、イヤホン３のオーディオ再生モジュール３３およびＡ／Ｖデバイス２のオーディオ出力モジュール２４は、無線ネットワークと通信するために、Ｗｉ―Ｆｉを使用する。
【００３１】
ステップＳ５２において、イヤホン３の制御モジュール３１は、ユーザーが第１の制御指令を入力することができるように作動する。次に、ステップＳ５３において、イヤホン３の通信インターフェース３２を使用してＡ／Ｖデバイス２の信号処理モジュール２３に、電磁波によって、第１の制御指令が送信される。いくつかの例において、第１の制御指令は、赤外線通信ユニット３２１およびブルートゥース通信ユニット３２２のうちの１つを使用して送信される。
【００３２】
イヤホン３から第１の制御指令を受信すると、すぐに、Ａ／Ｖデバイス２の信号処理モジュール２３は、ステップＳ５４において、第１の制御指令に従ってオーディオ信号成分の所望の一つを選択して、処理するように作動する。処理されたオーディオ信号は、次に、イヤホン３によって再生されるために、無線ネットワークを通してＷｉ―Ｆｉ送信ユニット２４３により、イヤホン３のオーディオ再生モジュール３３のＷｉ―Ｆｉ受信ユニット３３１に送信される。
【００３３】
Ａ／Ｖデバイス２が、再生モードにある（従って、信号処理モジュール２３がマルチタスクモードにある）とき、図４に示したように、ユーザー（および／または他のユーザー）は、近端制御手順において、Ａ／Ｖデバイス２の近端制御モジュール２１を使用して、無線Ａ／Ｖシステムを制御することもできる。
【００３４】
ステップＳ６１において、Ａ／Ｖデバイス２の近端制御モジュール２１は、ユーザーが第２の制御指令を入力することを可能にする。近端制御モジュール２１から第２の制御指令を受信すると、すぐに、Ａ／Ｖデバイス２の信号処理モジュール２３は、ステップＳ６２において、第２の制御指令に従ってオーディオ信号成分のうちの１つを選択して、処理するように作動する。オーディオ出力モジュール２４は、次に、ステップＳ６３において、処理されたオーディオ信号成分を再生するように作動する。
【００３５】
要約すれば、イヤホン３の制御モジュール３１は、Ａ／Ｖデバイス２の遠隔制御として機能し、第１の制御指令をＡ／Ｖデバイス２に送信することができる。第１の制御指令によれば、Ａ／Ｖデバイス２の信号処理モジュール２３は、ユーザーが再生されるよう望むオーディオ信号成分のうちの１つを、様々な異なる外部マルチメディアソースから選択して、処理後に、所望のオーディオ信号成分をＷｉ―Ｆｉを使用してイヤホン３に送信するように作動する。イヤホン３のユーザーは、Ａ／Ｖデバイス２から比較的遠い距離にいる場合であっても、所望のオーディオ信号成分を供給されることができる。加えて、信号処理モジュール２３は、マルチタスクモードをサポートして、従って、第１の制御指令および第２の制御指令の両方を並列して処理して、オーディオ再生モジュール３３およびオーディオ出力モジュール２４に、それぞれ、所望の信号を供給することができる。その結果、Ａ／Ｖデバイス２およびイヤホン３の各々は、異なる要望にかなうことができ、無線Ａ／Ｖシステムの用途をより広くする。
【００３６】
本発明は、最も実際的で好ましい実施形態と考えられるものと関連して説明されたが、この発明は、開示された実施形態に限定されず、すべてのこの種の改良および同等の装置を含むために、最も広い解釈の範囲の中に含まれるさまざまな装置をカバーすることを目的とするものと理解される。
【符号の説明】
【００３７】
１１  外部記憶
１３  高周波同調ユニット
１５  復調ユニット
２  Ａ／Ｖデバイス
２１  近端制御モジュール
２２  信号受信モジュール
２２１  外部コネクタ
２２２  無線周波数（ＲＦ）受信インターフェース
２２３  周波数変調（ＦＭ）受信インターフェース
２３  信号処理モジュール
２４  オーディオ出力モジュール
３  イヤホン
３１  制御モジュール
３２  通信インターフェース
３２１  赤外線通信ユニット
３２２  ブルートゥース通信ユニット
３３  オーディオ再生モジュール
３３１  Ｗｉ―Ｆｉ受信ユニット
３３２  スピーカ
ＩＩＣ  内部集積回路
【図１】
2014011793.tif 000003
【図２】
2014011793.tif 000004
【図３】
2014011793.tif 000005
【図４】
2014011793.tif 000006
【外国語明細書】
2014011793000001.pdf
2014011793000002.pdf
2014011793000003.pdf
2014011793000004.pdf